(57)【要約】  【課題】  写真プリント装置のロス時間を無くすとともに、顧客がプリント注文を行なってから写真プリント装置を入手するまでの待ち時間を短縮することができるプリント注文受付装置を提供する。  【解決手段】  一纏まりの画像データ群を複数に分割したブロック毎のプリント注文情報でなるブロック注文情報を時系列的に生成し、前記ブロック注文情報の集合により前記画像データ群に対する統合注文情報を生成する初期注文情報生成部２１と、前記ブロック注文情報の何れかが変更された新たなブロック注文情報が生成されるときに、前記ブロック注文情報の変更履歴情報を生成する変更履歴情報生成部２２と、前記ブロック注文情報の写真プリント装置への出力履歴情報を生成する出力履歴情報生成部２３と、前記出力履歴情報と前記変更履歴情報とに基づいて前記統合注文情報を変更する統合注文情報変更部２５とを備える。【選択図】  図５
2006276930.tif 000002
【特許請求の範囲】
【請求項１】
記録媒体に記録された画像データを入力する画像入力部と、前記画像入力部により入力された画像データを注文受付画面に所定の順序で表示する画像表示部と、前記画像表示部に表示された画像毎に注文データを入力する注文入力部と、前記注文入力部により入力された注文データとその注文データに対応する画像データを関連付けるリンクデータを含むプリント注文情報を生成する注文情報生成部と、生成されたプリント注文情報を格納する注文情報記憶部と、前記注文情報記憶部に格納された前記プリント注文情報を写真プリント装置に出力する注文情報出力部を備えて構成されるプリント注文受付装置であって、
前記注文情報生成部は、一纏まりの画像データ群を複数に分割したブロック毎のプリント注文情報でなるブロック注文情報を時系列的に生成し、前記ブロック注文情報の集合により前記画像データ群に対する統合注文情報を生成する初期注文情報生成部と、前記ブロック注文情報の何れかが変更された新たなブロック注文情報が生成されるときに、前記ブロック注文情報の変更履歴情報を生成する変更履歴情報生成部と、前記ブロック注文情報を前記写真プリント装置へ出力した出力履歴情報を生成する出力履歴情報生成部と、前記出力履歴情報と前記変更履歴情報とに基づいて前記統合注文情報を変更する統合注文情報変更部とを備えるプリント注文受付装置。
【請求項２】
前記統合注文情報変更部は、前記変更された新たなブロック注文情報が生成されたときに、前記出力履歴情報から前記新たなブロック注文情報として変更される前のブロック注文情報が前記写真プリント装置へ出力されていないと判断されるときに、前記変更される前のブロック注文情報と前記新たなブロック注文情報とを差し替える請求項１に記載のプリント注文受付装置。
【請求項３】
前記変更された新たなブロック注文情報と、前記新たなブロック注文情報として変更される前のブロック注文情報とを比較し、前記新たなブロック注文情報として変更される前のブロック注文情報に対して、前記変更された新たなブロック注文情報に前記注文入力部により入力された新たな注文データが含まれているときに、前記新たな注文データにのみ基づいた追加ブロック注文情報を生成する追加注文情報生成部を備える請求項１に記載のプリント注文受付装置。
【請求項４】
前記注文情報生成部は、前記画像表示部の一画面に同時に表示される画像データに対する注文データを一ブロックとして前記ブロック注文情報を生成する請求項１から３の何れかに記載のプリント注文受付装置。
【請求項５】
前記注文情報生成部は、予め設定された所定数の画像データに対する注文データを一ブロックとして前記ブロック注文情報を生成する請求項１から３の何れかにに記載のプリント注文受付装置。
【請求項６】
前記注文情報生成部は、前記注文入力部を介してなされた注文内容を確定する注文確定操作をトリガーとして前記ブロック注文情報を生成する１から５の何れかに記載のプリント注文受付装置。
【請求項７】
前記注文データに対する料金データを含む受付データが記録された受付データ記録媒体を出力する受付データ出力部を備え、前記受付データは、少なくとも前記変更履歴情報の一部を含む請求項１から６の何れかに記載のプリント注文受付装置。
【請求項８】
前記変更履歴情報がキャンセルデータである請求項７に記載のプリント注文受付装置。
【請求項９】
前記プリント注文情報は、統合注文情報を個別に識別する注文管理データと、統合注文情報に含まれるブロック注文情報を個別に識別するブロック管理データと、ブロック注文情報に含まれる注文データ及びそれに対応する画像データを関連付けるリンクデータと、画像データを備えて構成される請求項１から８の何れかに記載のプリント注文受付装置。
【請求項１０】
前記注文情報生成部は、前記注文入力部を介してなされた注文内容を確定する注文確定操作によりブロック注文情報を確定し、その後に前記注文入力部を介してなされた注文終了を確定する注文終了確定操作によりプリント注文情報を確定する請求項１から９の何れかに記載のプリント注文受付装置。
【発明の詳細な説明】
【技術分野】
【０００１】
本発明は、記録媒体に記録された画像データを入力する画像入力部と、前記画像入力部により入力された画像データを注文受付画面に所定の順序で表示する画像表示部と、前記画像表示部に表示された画像毎に注文データを入力する注文入力部と、前記注文入力部により入力された注文データとその注文データに対応する画像データを関連付けるリンクデータを含むプリント注文情報を生成する注文情報生成部と、生成されたプリント注文情報を格納する注文情報記憶部を備えて構成されるプリント注文受付装置に関する。
【背景技術】
【０００２】
デジタルカメラや高画質のデジタルカメラ機能を備えた携帯電話機が急速に普及しており、そのようなカメラで撮影された写真画像を写真プリントする需要が高まっている。このような要請に応えるために、写真フイルムの現像やプリントを行うラボ店などには、その店頭に顧客自身が写真画像の記録されたメモリカードなどの記録媒体を用いて画像データを入力するとともに、プリント注文情報を設定入力する自動受付装置が設置されている。このような自動受付装置はプリント注文のみを受け付けて、注文管理番号、仕上り日時、料金データなどを印字した受付票を出力するもので、顧客は指定された仕上り日時にその受付票を持参して料金を支払った後にプリントを入手することができるものである。
【０００３】
また、近年では、注文したその場でプリントを入手できるように、上述の自動受付装置に写真プリンタを接続し、その場で写真プリントが得られる写真プリント用のデータ処理装置も設置されている。このようなデータ処理装置はマルチメディアキオスクと同様の概念、つまり、自動販売機として位置付けられている。
【０００４】
また、コピーサービスと同等の概念で、写真画像以外にコンピュータ処理された出力ファイルが記録された記録媒体を用いて注文入力し、その場でプリント出力するデータ処理装置を店頭に設置するようなサービスも考えられている。
【０００５】
このようなデータ処理装置は、顧客が撮影または作成した処理対象データが格納されたＣＦカードやＳＤメモリカードなどの小型メモリカードをデータ入力手段としてのメディアドライバに装着して読み込ませ、画像表示部としての液晶表示装置に表示された処理対象画像を目視確認しながら、ジョブリクエスト入力手段としてのタッチパネル、キーボード、マウスなどを操作してプリントサイズやプリント枚数、さらには、所要の画像補正などのジョブリクエストを入力することにより、当該ジョブリクエストに対応する写真プリント出力などのジョブが実行され、その場で商品を入手することができるものである。
【０００６】
例えば、写真ラボ店などの店頭に設置される自動販売機９１は、図１７に示すように、ケース９２の上部に設置されたプリント注文受付装置９３と、前記ケース９２の内部に収容されたインクジェットプリンタや昇華型プリンタでなる写真プリンタ９４を備えて構成され、前記プリント注文受付装置９３で注文入力された写真プリントに対する料金の精算が行なわれた後に前記写真プリンタ９４が作動して、前記ケース下部のプリント取出口９５に写真プリントが出力されるように構成されている。
【０００７】
また、既に注文済みの１オーダー分のプリント注文に対して、再度同じ内容でプリント注文を行なうためのプリント注文ボタンを、端末のモニタの表示画面に表示し、前記プリント注文ボタンの選択操作によりプリントの再注文が可能とするといったものも提案されている。
【特許文献１】特開平１１−１０２０３５号公報
【特許文献２】特開２００２−３５１６２８号公報
【特許文献３】特開２００２−３６６８１０号公報
【発明の開示】
【発明が解決しようとする課題】
【０００８】
上述した従来技術では、プリント注文受付装置は、顧客による一連の処理対象データに対する一纏まりの注文情報として処理するため、前記一連の処理対象データに対する一纏まりの注文情報が作成されるまで、前記注文情報を写真プリンタ等へ出力することがなかった。つまり、顧客が前記プリント注文受付装置により一連の処理対象データに対する一纏まりプリント注文を確定させた後に、前記プリント注文に基づいた注文情報を写真プリンタ等へ出力していた。このため、前記写真プリンタは、前記注文情報が前記プリント注文受付装置から入力された後に写真プリントを開始するため、顧客が前記プリント注文に対する写真プリントを入手するためには、少なくとも前記写真プリンタに前記注文情報が入力されてから、前記写真プリンタにより写真プリントが実行され、前記写真プリンタから写真プリントが出力されるまでの時間だけ待つ必要があり、この待ち時間が長くなることが問題となっていた。
【０００９】
また、顧客がプリント注文を行なっているときには、前記写真プリンタは稼働していないため、この間のロス時間が問題となっていた。さらに、顧客が複数のプリント注文を行なうときには、一旦プリント注文処理を行なった処理対象データに対してキャンセルや、プリント枚数の追加等の変更を必要とする場合があり、このような場合には、更に前記写真プリンタのロス時間が長くなることが問題となっていた。
【００１０】
本発明の目的は、上述した従来の問題点に鑑み、写真プリント装置のロス時間を無くすとともに、顧客がプリント注文を行なってから写真プリント装置を入手するまでの待ち時間を短縮することができるプリント注文受付装置を提供する点にある。
【課題を解決するための手段】
【００１１】
上述の目的を達成するため、本発明によるプリント注文受付装置の第一の特徴構成は、特許請求の範囲の書類の請求項１に記載した通り、記録媒体に記録された画像データを入力する画像入力部と、前記画像入力部により入力された画像データを注文受付画面に所定の順序で表示する画像表示部と、前記画像表示部に表示された画像毎に注文データを入力する注文入力部と、前記注文入力部により入力された注文データとその注文データに対応する画像データを関連付けるリンクデータを含むプリント注文情報を生成する注文情報生成部と、生成されたプリント注文情報を格納する注文情報記憶部と、前記注文情報記憶部に格納された前記プリント注文情報を写真プリント装置に出力する注文情報出力部を備えて構成されるプリント注文受付装置であって、前記注文情報生成部は、一纏まりの画像データ群を複数に分割したブロック毎のプリント注文情報でなるブロック注文情報を時系列的に生成し、前記ブロック注文情報の集合により前記画像データ群に対する統合注文情報を生成する初期注文情報生成部と、前記ブロック注文情報の何れかが変更された新たなブロック注文情報が生成されるときに、前記ブロック注文情報の変更履歴情報を生成する変更履歴情報生成部と、前記ブロック注文情報を前記写真プリント装置へ出力した出力履歴情報を生成する出力履歴情報生成部と、前記出力履歴情報と前記変更履歴情報とに基づいて前記統合注文情報を変更する統合注文情報変更部とを備える点にある。
【００１２】
上述の構成によれば、一纏まりの画像データ群を複数に分割したブロック毎のプリント注文情報でなるブロック注文情報を時系列的に生成することにより、前記ブロック注文情報毎に、写真プリント装置へ前記ブロック注文情報を出力することができるため、前記ブロック注文情報毎に、前記写真プリント装置においてプリント処理などを実行することができるのである。つまり、一纏まりの画像データ群を複数に分割したブロック毎のプリント注文情報でなるブロック注文情報において、生成されたブロック注文情報から順次前記写真プリント装置へ出力することができるため、前記写真プリント装置におけるプリント処理を効率よく実行させることが、つまり、写真プリント装置のロス時間を無くすことができるのである。よって顧客がプリント注文を行なってから写真プリントを入手するまでの待ち時間を短縮することが可能なプリント注文受付装置とすることができるのである。
【００１３】
また、前記ブロック注文情報の何れかが変更された新たなブロック注文情報が生成されるときに、前記ブロック注文情報変更履歴情報と前記写真プリント装置へ出力した出力履歴情報とに基づいて前記統合注文情報を変更するため、前記ブロック注文情報に変更が生じても何ら問題なく前記ブロック注文情報の変更に対応可能なプリント注文受付装置とすることができるのである。
【００１４】
同第二の特徴構成は、同請求項２に記載した通り、上述の第一の特徴構成に加えて、前記統合注文情報変更部は、前記変更された新たなブロック注文情報が生成されたときに、前記出力履歴情報から前記新たなブロック注文情報として変更される前のブロック注文情報が前記写真プリント装置へ出力されていないと判断されるときに、前記変更される前のブロック注文情報と前記新たなブロック注文情報とを差し替える点にある。
【００１５】
上述の構成によれば、前記変更される前のブロック注文情報と前記新たなブロック注文情報とを差し替えることができるため、前記ブロック注文情報に変更が生じても何ら問題なく前記ブロック注文情報の変更に対応可能なプリント注文受付装置とすることができるのである。
【００１６】
同第三の特徴構成は、同請求項３に記載した通り、上述の第一の特徴構成に加えて、前記変更された新たなブロック注文情報と、前記新たなブロック注文情報として変更される前のブロック注文情報とを比較し、前記新たなブロック注文情報として変更される前のブロック注文情報に対して、前記変更された新たなブロック注文情報に前記注文入力部により入力された新たな注文データが含まれているときに、前記新たな注文データにのみ基づいた追加ブロック注文情報を生成する追加注文情報生成部を備える点にあり、前記ブロック注文情報に変更が生じても何ら問題なく前記ブロック注文情報の変更に対応可能なプリント注文受付装置とすることができるのである。
【００１７】
同第四の特徴構成は、同請求項４に記載した通り、上述の第一から第三の何れかの特徴構成に加えて、前記注文情報生成部は、前記画像表示部の一画面に同時に表示される画像データに対する注文データを一ブロックとして前記ブロック注文情報を生成する点にある。
【００１８】
上述の構成によれば、一画面に同時に表示される画像データに対する注文データを一ブロックとして前記ブロック注文情報を生成するため、画面切替え操作などにより、容易に一ブロックとしての注文データを確定することが可能なプリント注文受付装置とすることができるのである。
【００１９】
同第五の特徴構成は、同請求項５に記載した通り、上述の第一から第三の何れかの特徴構成に加えて、前記注文情報生成部は、予め設定された所定数の画像データに対する注文データを一ブロックとして前記ブロック注文情報を生成する点にある。
【００２０】
上述の構成によれば、予め設定された所定数の画像データに対する注文データを一ブロックとして前記ブロック注文情報を生成するため、前記所定数の画像データに基づいて、容易に一ブロックとしての注文データを確定することができるとともに、前記一ブロックとしての注文データに基づいて実行される所定の処理における負荷を一定とすることが可能なプリント注文受付装置とすることができるのである。
【００２１】
同第六の特徴構成は、同請求項６に記載した通り、上述の第一から第五の何れかの特徴構成に加えて、前記注文情報生成部は、前記注文入力部を介してなされた注文内容を確定する注文確定操作をトリガーとして前記ブロック注文情報を生成する点にある。
【００２２】
上述の構成によれば、顧客の意思に基づいて確実に前記ブロック注文情報を生成することが可能なプリント注文受付装置とすることができるのである。
【００２３】
同第七の特徴構成は、同請求項７に記載した通り、上述の第一から第六の何れかの特徴構成に加えて、前記注文データに対する料金データを含む受付データが記録された受付データ記録媒体を出力する受付データ出力部を備え、前記受付データは、少なくとも前記変更履歴情報の一部を含む点にある。
【００２４】
上述の構成によれば、前記プリント注文受付装置により受け付けられたプリント注文情報に対する内容を受付データによって、顧客が、或いは、オペレータが容易に確認することが可能なプリント注文受付装置とすることができるのである。
【００２５】
同第八の特徴構成は、同請求項８に記載した通り、上述の第七の特徴構成に加えて、前記変更履歴情報がキャンセルデータである点にある。
【００２６】
上述の構成によれば、例えば、顧客が注文データをキャンセルしたにもかかわらず、統合注文情報変更部によりブロック注文情報の差し替えが間に合わず、写真プリント装置によりプリント処理が実行されることで、余分な写真プリントが出力されている場合に、オペレータは、キャンセルデータに基づいて余分な写真プリントを差し引いて顧客に引き渡すことができるのである。
【００２７】
同第九の特徴構成は、同請求項９に記載した通り、上述の第一から第八の何れかの特徴構成に加えて、前記プリント注文情報は、統合注文情報を個別に識別する注文管理データと、統合注文情報に含まれるブロック注文情報を個別に識別するブロック管理データと、ブロック注文情報に含まれる注文データ及びそれに対応する画像データを関連付けるリンクデータと、画像データを備えて構成される点にある。
【００２８】
上述の構成によれば、注文受付装置から顧客により入力された一連の画像データに対する注文データと前記画像データとが、確実に関連付けられたプリント注文情報とすることができるのである。
【００２９】
同第十の特徴構成は、同請求項１０に記載した通り、上述の第一から第九の何れかの特徴構成に加えて、前記注文情報生成部は、前記注文入力部を介してなされた注文内容を確定する注文確定操作によりブロック注文情報を確定し、その後に前記注文入力部を介してなされた注文終了を確定する注文終了確定操作によりプリント注文情報を確定する点にある。
【００３０】
上述の構成によれば、一纏まりの画像データ群を複数に分割したブロック毎のプリント注文情報でなるブロック注文情報を時系列的に容易に生成することが可能となるのである。
【発明の効果】
【００３１】
以上説明した通り、本発明によれば、写真プリント装置のロス時間を無くすとともに、顧客がプリント注文を行なってから写真プリント装置を入手するまでの待ち時間を短縮することができるプリント注文受付装置を提供することができるようになった。
【発明を実施するための最良の形態】
【００３２】
以下に本発明によるプリント注文受付装置０２を、デジタル画像データに基づくプリント出力、加工、記録媒体への保存などを顧客自身で操作してその商品やサービスを購入する写真プリントシステムに適用した場合について説明する。前記写真プリントシステムの概観構成は、図１に示すように、本発明である写真プリントの注文を受け付ける複数のプリント注文受付装置０２と、前記プリント注文受付装置０２と通信ラインを介して前記プリント注文受付装置０２により受け付けられたプリント注文情報を管理する管理端末装置０４と、前記プリント注文受付装置０２と通信ラインを介して前記プリント注文受付装置０２からのプリント注文情報に基づいて所定の処理を実行し写真プリントを出力する写真プリント装置０３とを備えて構成されている。つまり、前記プリント注文受付装置０２と、前記管理端末装置０４と、前記写真プリント装置とは、ネットワークを介して夫々接続された構成となっている。
【００３３】
前記プリント注文受付装置０２の概観構成は、図２に示すように、顧客が所持するＣＤ、ＣＦカードやＳＤメモリカードなどの各種の可搬性の記録媒体に記憶された写真プリント対象データとなるデジタル画像データを読み取り入力するための画像入力部としての複数種類のメディアドライバ０９と、前記メディアドライバ０９により入力されたデジタル画像データを画像として表示する画像表示部としての液晶表示部１０と、前記液晶表示部１０に表示された画像に対してプリント枚数やプリントサイズなどの注文データを入力する前記液晶表示部１０の表面に配置された注文入力部としてのタッチパネル１１と、前記タッチパネル１１から入力された注文データを受け付けて受付データが印字された注文受付票３５ｐを出力する受付データ出力部３５としての熱転写プリンタと、各機能ブロックを制御する受付管理部６６とを備えて構成されている。尚、前記受付管理部６６は、各機能ブロックを制御するＣＰＵと、ＣＰＵの実行プログラムを格納するメモリなどを備えて構成され、その実行プログラムは予めハードディスクにインストールされ、所定のオペレーティングシステムの下で実行されるように構成されている。
【００３４】
前記写真プリント装置０３は、銀塩方式のプリント処理を行なうもので、その概観構成は図３、図４に示すように、感光材料としてのロール状の印画紙Ｐを収容し、また、感光材料供給部として前記印画紙Ｐを供給する二系統の印画紙マガジン１２と、前記印画紙マガジン１２から供給された印画紙Ｐを所定のプリントサイズに切断するシートカッター１３と、前記切断後の印画紙Ｐの背面に画像番号等のプリント情報を印字するバックプリント部１４と、前記写真プリント対象データに基づいて印画紙Ｐを露光する露光処理部１５と、前記露光処理後の印画紙Ｐを現像、漂白、定着するための各処理液が充填された複数の処理槽１６ａ、１６ｂ、１６ｃが印画紙Ｐの搬送経路に沿って配置された現像処理部１６と、現像処理後に乾燥処理された印画紙Ｐが排出される横送りコンベア１７と、横送りコンベア１７に集積された複数枚の印画紙（写真プリント）Ｐが写真プリントの注文単位で仕分けられるプリント仕分け処理部としてのソータ１８とを備えて構成されている。前記露光処理部１５は、プリント対象データに基づいて印画紙Ｐを送りながらＲ（赤）、Ｇ（緑）、Ｂ（青）の３原色の光線の露光を行う露光ヘッドを備えており、露光時には印画紙Ｐを副走査方向に搬送しながら、この搬送速度と同期して主走査方向に沿ったライン状に露光を行うよう構成されている。尚、露光ヘッドとしては、露光仕様に応じて、蛍光ビーム方式、液晶シャッター方式、ＤＭＤ方式又はＦＯＣＲＴ方式などの採用が可能である。
【００３５】
つまり、前記写真プリント装置０３は、２つの印画紙マガジン１２に納めたロール状の印画紙Ｐを搬送してプリントサイズに切断するとともに、このように切断された印画紙Ｐに対し、露光処理部１５で露光処理を行い、この露光処理後の印画紙Ｐを複数の現像処理槽を有した現像処理部１６に送って現像する。そして、現像処理され、乾燥処理の後に前記写真プリント装置０３の上部の横送りコンベア１４からソータ１５に送られた印画紙Ｐ、つまり写真プリントＰに対して、ソータ１８の複数のトレイに写真プリントの単位注文毎に仕分けられた状態で集積するように構成されている。
【００３６】
前記管理端末装置０４は、顧客により前記プリント注文受付装置０２から入力されたプリント注文情報と、前記プリント注文情報に基づいて前記写真プリント装置０３から出力された写真プリントとを関連付けてオペレータが管理するためのもの、例えば、当該管理端末装置０４により顧客が前記プリント注文受付装置０２により入力したプリント注文情報の照会や、前記プリント注文情報に基づいた前記写真プリント装置０３による写真プリント処理の実行状況等の照会が可能なように構成されている。
【００３７】
前記写真プリントシステムにおいて、例えば、三つのプリント注文受付装置０２ａ、０２ｂ、０２ｃが備えられている写真プリントシステムの機能ブロック構成について説明する。尚、前記三つのプリント注文受付装置０２ａ、０２ｂ、０２ｃは同一構成となっているため、前記プリント注文受付装置の詳細機能ブロック構成は、その内の一つをプリント注文受付装置０２として示し、他の二つのプリント注文受付装置の詳細ブロック構成については省略して示す。前記写真プリントシステムの機能ブロック構成は、図５に示すように、前記プリント注文受付装置０２における前記受付管理部６６と、前記写真プリント装置０３と、前記管理端末装置０４が夫々通信ラインＬを介して接続された構成となっている。
【００３８】
前記受付管理部６６は、前記メディアドライバ０９から入力された写真プリント対象となるデジタル画像データを一時記憶する半導体のメモリ手段３０と、前記液晶表示部１０の画面にプリントオーダ情報や画像編集情報を表示するとともに、それらに対して必要なデータ入力のための操作用アイコンを表示するグラフィック操作画面の生成や、表示されたグラフィック操作画面に対する前記タッチパネル１１からの入力操作に基づいて各種の制御コマンドを生成するグラフィックユーザーインターフェース（ＧＵＩ）部３１と、当該プリント注文受付装置０２が写真プリントの注文を受け付けたプリント注文受付装置０２として識別されるための受付装置管理データを生成する受付装置管理データ生成部５２と、前記タッチパネル１１から入力された入力情報に基づいて注文データを生成する注文データ生成部５１と、前記注文データと前記注文データに対応する前記一時記憶されたデジタル画像データとそれらを関連付けるリンクデータと前記受付装置管理データとを含むプリント注文情報を生成する注文情報生成部６７と、前記生成されたプリント注文情報を格納する注文情報記憶部としてのハードディスクなどの大容量ストレージデバイス５０と、前記プリント注文情報を前記写真プリント装置０３へ通信ラインＬを介して出力する出力部６０と、前記受付データ出力部３５により前記記録媒体である注文受付伝票３５ｐへの受付データの記録及び出力を前記注文データに基づいて制御する記録コントローラ５５とを備えて構成されている。
【００３９】
前記注文データ生成部５１は、前記メディアドライバ０９から入力された一纏まりのデジタル画像データを一単位の統合注文とすることで、前記統合注文を個別に識別する注文管理データを生成し、また、前記液晶表示部１０に、前記一纏まりのデジタル画像データに基づいた画像を、所定数の画像毎にページを付して分割表示するとともに、前記各ページにおける画像への注文データを一単位のブロック注文とすることで、前記ブロック注文を個別に識別するブロック管理データを生成し、例えば、図６に示すように、前記タッチパネル１１から入力された入力情報に前記注文管理データと、前記ブロック管理データとを付してブロック注文毎に注文データを生成するように構成されている。尚、前記ブロック管理データは、前記所定数の画像毎に付されたページに対応するページ管理データと、前記ブロック注文毎に順次付される個別ブロックデータとを備えて構成されている。
【００４０】
前記注文情報生成部６７は、前記注文データ生成部５１によってブロック注文毎に生成された注文データを時系列的に記憶する注文データ記憶部２０と、前記注文データと前記注文データに対応する前記一時記憶されたデジタル画像データとそれらを関連付けるリンクデータと前記受付装置管理データとを含むプリント注文情報としてのブロック注文情報を生成し、前記ブロック注文情報を前記大容量ストレージデバイス５０に記憶させる初期注文情報生成部２１と、前記注文データ記憶部２０に時系列的に記憶される注文データを監視し、前記注文データ記憶部２０へ記憶される注文データにおける注文管理データ及びページ管理データが、前回以前に記憶された注文データにおける注文管理データ及びページ管理データと同一であったときに、前記注文管理データ及びページ管理データに対応するデジタル画像データに基づいたブロック注文としての注文データが変更されたと判別し、前記ブロック注文情報の変更履歴情報として前記注文データの変更履歴情報を生成する変更履歴情報生成部２２と、前記変更履歴情報に基づいて所定の追加プリント注文情報としての追加ブロック注文情報を生成する追加注文情報生成部２４と、同じく前記変更履歴情報に基づいて所定の処理を実行する統合注文情報変更部２５と、前記変更履歴情報に基づいて前記タッチパネル１１からの入力情報におけるキャンセル情報を記憶するキャンセル情報記憶部６１とを備えて構成されている。
【００４１】
初期注文情報生成部２１は、前記注文データ生成部５１により一纏まりの統合注文が複数のブロック注文に分割されて生成された注文データに対して、順次、前記注文データと前記注文データに対応する前記一時記憶されたデジタル画像データとそれらを関連付けるリンクデータと前記受付装置管理データとを含むプリント注文情報としてのブロック注文情報を生成することで、時系列的に前記ブロック注文情報を生成し、前記統合注文に対応する前記ブロック注文情報の集合が統合注文情報となるように構成されている。尚、前記生成されたブロック注文情報は、順次、前記大容量ストレージデバイス５０に記憶されるように構成されている。
【００４２】
前記変更履歴情報生成部２２は、前記注文データ記憶部２０に時系列的に記憶される注文データを監視し、前記注文データ記憶部２０に記憶される注文データにおける注文管理データ及びページ管理データが、前回以前に記憶された注文データにおける注文管理データ及びページ管理データと同一であったときに、前記注文管理データ及びページ管理データに対応するデジタル画像データに基づいたブロック注文としての注文データが変更されたと判別し、つまり、前記注文管理データ及びページ管理データに対応するデジタル画像データに基づいたブロック注文に基づくブロック注文情報が変更されると判断し、例えば、図７に示すように、前記注文管理データ及びページ管理データが同一なもの毎に、前記注文データに前記注文データ記憶部２０に記憶された順序情報を付与することで、前記ブロック注文情報の変更履歴情報として前記注文データの変更履歴情報を生成し、前記変更履歴情報を記憶するように構成されている。
【００４３】
前記追加注文情報生成部２４は、前記変更される新たなブロック注文情報と、前記新たなブロック注文情報として変更される前のブロック注文情報とを比較し、前記新たなブロック注文情報として変更される前のブロック注文情報に対して、前記変更される新たなブロック注文情報に前記注文入力部により入力された新たな注文データが含まれているときに、前記新たな注文データにのみ基づいた追加ブロック注文情報を生成するように構成されている。つまり、前記追加注文情報生成部２４は、前記変更履歴情報生成部２２に記憶されている変更履歴情報により、新たな注文データと前回の注文データとを比較し、新たな注文データに新たな入力情報があったときに、新たな入力情報に基づいた新たな追加注文データを生成し、前記新たな追加注文データと前記新たな追加注文データに対応する前記デジタル画像データとそれらを関連付けるリンクデータと前記受付装置管理データとを含む追加ブロック注文情報を生成するように構成されている。
【００４４】
前記統合注文情報変更部２５は、前記変更履歴情報生成部２２に記憶されている変更履歴情報と、後述する前記ブロック注文情報の出力履歴情報とに基づいて、後述する所定の処理を実行することで、前記統合注文情報を変更するように構成されている。
【００４５】
前記出力部５３は、前記写真プリント装置０３の実行状態情報を前記写真プリント装置０３から通信ラインＬを介して入力する実行状態情報入力部５６と、前記実行状態情報入力部５６により入力された実行状態情報に基づいて前記プリント注文情報を前記写真プリント装置０３へ通信ラインＬを介して出力する注文情報出力部５３と、前記注文情報出力部５３によって出力されたプリント注文情報の出力履歴情報を生成する出力履歴情報生成部２３とを備えて構成されている。尚、前記出力履歴情報記憶部２３は、前記注文情報出力部５３によって出力されたプリント注文情報について、例えば、図８に示すように、前記注文管理データとブロック管理データからなる出力履歴情報を生成して、時系列的に記憶するように構成されている。
【００４６】
以下、受付管理部６６の動作について、図９、図１０、図１１、図１２のフローチャートに基づいて説明する。上述の写真プリントシステムの電源がオンされると、前記注文データ生成部５１は、図１３（ａ）に示すように、前記液晶表示部１０に証明写真のプリントを受け付ける証明写真プリント注文スイッチ３７ｘ、一般の写真プリントを受け付ける写真プリント注文スイッチ３７ｙ、一連の写真画像をＣＤ−Ｒなどの記録媒体に電子アルバムとして書込み保存する電子アルバム注文スイッチ３７ｚなどのモード選択スイッチを表示する（ＳＡ１）。
【００４７】
顧客がデジタルカメラで撮影した写真画像データが格納されたメモリカード、例えばＳＤメモリカードを所持し、一般の写真プリントを要求する場合には、図１３（ａ）に示す表示画面の写真プリント注文スイッチ３７ｙを指でタッチ操作する（ＳＡ２）。前記液晶表示部１０に設けられた前記タッチパネル１１が操作箇所を認識して、図１３（ｂ）に示すように、「デジタルカメラのカードを挿入してください」とのメッセージがメッセージ表示エリア３７ｆに表示されるとともに、写真画像の表示枠３７ｇなどが表示される。
【００４８】
顧客が当該メッセージに従って対応するメディアドライバ０９にＳＤメモリカードを挿入すると、メディアドライバ０９は記録されている写真画像データとしてのデジタル画像データを読み取り、前記メモリ手段３０に一時格納する。全てのデジタル画像データの読み取りが終了すると「カードを取り出してください」とのメッセージが前記メッセージ表示エリア３７ｆに表示されるので、それに従ってカードを取り出すことにより記録媒体からのデジタル画像データの読み取りが終了する（ＳＡ３）。
【００４９】
このとき、前記注文データ生成部５１は、読み取られたデジタル画像データを一単位の統合注文とし、前記統合注文を個別に識別する注文管理データを生成する（ＳＡ４）。また、前記注文データ生成部５１は、前記読み取られたデジタル画像データに対応するサムネイル画像を予め一画面にその表示数が設定されている前記液晶表示部１０に全て表示するために必要なページ数を算出し、前記必要なページ数を最大ページ番号Ｍｔｈとして記憶する（ＳＡ５）。更に、前記注文データ生成部５１は、前記ページ管理データを生成するための前記注文データ生成部５１の内部カウンタＭと、前記個別ブロックデータを生成するための前記注文データ生成部５１の内部カウンタＮとを０にリセット（ＳＡ６）し、前記内部カウンタＭと内部カウンタＮとを夫々インクリメントする（ＳＡ７、ＳＡ８）。つまり、前記注文データ生成部５１は、前記内部カウンタＭと内部カウンタＮとに基づいて前記ブロック注文を個別に識別するブロック管理データを生成する。
【００５０】
前記ＳＤメモリカードが取り出されると、前記液晶表示部１０には、図１３（ｃ）に示すように、写真画像の表示枠３７ｇに、読み取られた写真画像データに基づく所定枚数、例えば六枚のサムネイル画像が表示されるとともに、前記メッセージ表示エリア３７ｆに「出力する画像を選択して枚数を設定してください」と表示されるサムネイル画像表示画面が表示される（ＳＡ９）。尚、前記サムネイル画像は所定の順序で、例えば、前記メディアドライバ０９から読み取られた順序、或いは、撮影日時に応じた順序で、前記所定枚数毎に前記液晶表示部１０に表示され、また、前記液晶表示部１０に表示された所定枚数毎に、前記内部カウンタＭに基づいたページ管理データが割り当てられるように構成されている。
【００５１】
尚、このとき、前記液晶表示部１０には、前記内部カウンタＭが１以外のとき（ＳＡ１０）、つまり、前記液晶表示部１０に表示されているサムネイル画像が、前記読み取られたデジタル画像データに基づいたサムネイル画像に対する最初のページとして表示されているとき以外のとき、前ページに表示したサムネイル画像を表示するための第一の「戻る」スイッチ３７ｏが画面下に表示されるように（ＳＡ１１）、前記内部カウンタＭが１のときには、つまり、前記液晶表示部１０に表示されているサムネイル画像が、前記読み取られたデジタル画像データに基づいたサムネイル画像に対する最初のページとして表示されているときには、前記第一の「戻る」スイッチ３７ｏが表示されないように構成されている（ＳＡ１２）。
【００５２】
また、前記液晶表示部１０には、前記内部カウンタＭが最大ページ番号Ｍｔｈ以外のとき（ＳＡ１３）、つまり、前記液晶表示部１０に表示されているサムネイル画像が、前記読み取られたデジタル画像データに基づいたサムネイル画像に対する最終のページとして表示されているとき以外のとき、次ページに表示するサムネイル画像を表示するための「次ページ」スイッチ３７ｍが画面下に表示されるように（ＳＡ１４）、前記内部カウンタＭが最大ページ番号Ｍｔｈのときには、つまり、前記液晶表示部１０に表示されているサムネイル画像が、前記読み取られたデジタル画像データに基づいたサムネイル画像に対する最終のページとして表示されているときには、前記「次ページ」スイッチ３７ｍが表示されないように構成されている（ＳＡ１５）。
【００５３】
顧客は、プリントを望むサムネイル画像をタッチして選択し、枚数設定スイッチ３７ｈをタッチすることによりプリント枚数を設定入力する（ＳＡ１６）。「＋１」スイッチをタッチするとタッチするたびに１枚ずつ加算され、「−１」スイッチをタッチするとタッチするたびに１枚ずつ減算される。設定枚数は選択されているサムネイル画像の右下に表示されるとともに、画面の左下の枚数表示エリア３７ｌに表示される。設定枚数が０になると「ＰＡＳＳ」と表示される。つまり「ＰＡＳＳ」と表示された画像はプリントされない。さらに、枚数設定スイッチ３７ｈの下には全ての写真画像データに対してプリント枚数を１枚ずつ加算設定する全画像枚数設定スイッチ３７ｉと、全ての写真画像データに対してプリント枚数を０にリセットする全画像ＰＡＳＳスイッチ３７ｊが設けられている。
【００５４】
同様に、プリントを望むサムネイル画像をタッチして選択し、色補正スイッチ３７ｋをタッチすることにより、各写真画像のカラー補正を行なうことができる（ＳＡ１７）。詳述しないが、色補正スイッチ３７ｋをタッチすると、選択された写真画像が大きく表示されるとともに、イエロー、マゼンダ、シアンの各色成分を調整するスイッチが表示され、各スイッチをタッチすることにより前記メモリ手段３０に格納されている写真画像のカラーバランスが調整されて、前記液晶表示部１０に色補正が反映された画像が表示される。
【００５５】
前記第一の「戻る」スイッチ３７ｏ及び前記「次ページ」スイッチ３７ｍが操作されずに（ＳＡ１８、ＳＡ１９）、前記第一の「セット」スイッチ３７ｎが操作されると（ＳＡ２０）、図１３（ｄ）に示す出力種類設定画面に移行する。出力種類設定画面には、Ｌ判、ＰＣ判、インデックス＋Ｌ判、インデックス＋ＰＣ判の中から希望するプリントサイズを選択するサイズ選択スイッチ３７ｐ、１枚のプリントに印刷されるコマ画像数を選択するコマ画像数選択スイッチ３７ｑ、白黒プリントまたはセピアプリントを選択するプリント種類選択スイッチ３７ｒが表示されるので、顧客は、希望する出力種類を選択操作することで設定する（ＳＡ２１）。尚、ここで、画面下に表示される第二の「戻る」スイッチ３７ｔが操作されると（ＳＡ２２）、前記ステップＳＡ９における前記サムネイル画像表示画面に戻るように構成されている。
【００５６】
顧客が希望する出力種類を設定して、画面下に表示される第二の「セット」スイッチ３７ｓを操作すると（ＳＡ２３）、顧客による前記タッチパネル１１からの入力情報が確定し、前記注文データ生成部５１により注文データが生成される（ＳＡ２４）。つまり、前記注文データ生成部５１は、前記第二の「セット」スイッチ３７ｓの選択により確定したサムネイル画像に基づいた入力情報を一単位のブロック注文とし、前記ブロック管理データと、つまり、前記内部カウンタＭに基づいた値と、内部カウンタＮに基づいた値と、つまり、個別ブロック管理データと、前記注文管理データとが前記入力情報と関連付くように付加することで、上述で前記図６に示したような注文データを生成する。
【００５７】
尚、前記ステップＳＡ１８において、前記第一の「戻る」スイッチ３７ｏが操作されると、前記注文データ生成部５１は、前記内部カウンタＭをデグリメントした後（ＳＡ２５）、前記ステップＳＡ８へ戻り、前記内部カウンタＮをインクリメントする。また、前記ステップＳＡ１９において、前記「次ページ」スイッチ３７ｍが操作されると、前記注文データ生成部５１は、前記内部カウンタＭをインクリメントした後（ＳＡ２６）、前記ステップＳＡ８へ戻り、前記内部カウンタＮをインクリメントする。
【００５８】
つまり、前記注文データ生成部５１は、前記液晶表示部１０に表示するサムネイル画像を前記内部カウンタＭにより調整するとともに、各ブロック注文において、顧客による前記タッチパネル１１から同じサムネイル画像に対する入力情報があったときに、前記各ブロック注文が同じサムネイル画像に対する入力情報であると識別できるように、つまり、同対象のサムネイル画像に対する入力情報に変更が生じたことを識別できるように、前記内部カウンタＭに基づいて同一のページ管理データを各ブロック注文に付加するように構成されている。また、各ブロック注文を独立なものとして識別できるように、前記内部カウンタＮに基づいてブロック注文毎に異なる個別ブロックデータを各ブロック注文に付加するように構成されている。
【００５９】
前記注文データ記憶部２０は、前記注文データ生成部５１によりブロック注文としての注文データが生成されると、前記注文データを順次記憶する（ＳＡ２７）。
【００６０】
前記初期注文情報生成部２１は、前記変更履歴情報記憶部２２により前記注文データ記憶部２０に時系列的に記憶される注文データが監視され、前記注文データ記憶部２０に記憶される注文データにおける注文管理データ及びページ管理データが、前回以前に記憶された注文データにおける注文管理データ及びページ管理データと同一ではないと判断されたときに、つまり、新規なサムネイル画像に対する注文データと判断されたときに（ＳＡ２８）、前記注文データと前記注文データに対応する前記デジタル画像データとそれらを関連付けるリンクデータと前記受付装置管理データとを含むプリント注文情報としてのブロック注文情報を生成し（ＳＡ２９）、前記大容量ストレージデバイス５０に前記ブロック注文情報を格納する（ＳＡ３０）。
【００６１】
前記注文情報出力部５３は、前記大容量ストレージデバイス５０に前記ブロック注文情報が格納されると（ＳＢ１）、前記実行状態情報入力部５６から入力される前記写真プリント装置０３の実行状態情報を確認し（ＳＢ２）、前記写真プリント装置０３に前記ブロック注文情報を出力可能な状態であれば（ＳＢ３）、例えば、他のブロック注文情報に基づいた写真プリント処理が終了している状態、或いは、当該受付管理部６６へ、前記写真プリント装置０３から前記ブロック注文情報の出力要求がある状態等であれば、前記大容量ストレージデバイス５０に記憶されたブロック注文情報を、前記大容量ストレージデバイス５０に記憶された順序に従って前記ブロック注文情報毎に出力する（ＳＢ４）。つまり、前記ブロック注文情報の出力一回に付き一単位の、或いは、所定単位のブロック注文情報を出力する。また、前記注文情報出力部５３は、前記写真プリント装置０３へ前記ブロック注文情報を出力した後、前記大容量ストレージデバイス５０から前記出力したブロック注文情報を削除する（ＳＢ５）。また、前記出力履歴情報生成部２３は、前記注文情報出力部５３によって出力されたブロック注文情報の出力履歴を、前記注文管理データとブロック管理データからなる出力履歴情報として生成し（ＳＢ６）、前記出力履歴情報を時系列的に記憶する（ＳＢ７）。
【００６２】
つまり、前記出力部６０は、図１４に示すように、ブロック注文情報Ｄａ１、Ｄａ２、Ｄａ３、Ｄａ４、Ｄａ５の集合からなる統合注文情報ＤＡが統合注文情報ＤＡとして完成する前に、各個別に生成されるブロック注文情報Ｄａ１、Ｄａ２、Ｄａ３、Ｄａ４、Ｄａ５を前記写真プリント装置０３の実効状態情報に基づいて、前記大容量ストレージデバイス５０に格納された順序に従って、順次前記写真プリント装置０３へ出力するように構成されている。つまり、顧客が前記タッチパネル１１により、前記統合注文に対する、つまり、前記読み込まれたデジタル画像データに対する写真プリントの注文が完了する前に、既に確定されたブロック注文に基づいたブロック注文情報Ｄａ１、Ｄａ２、Ｄａ３、Ｄａ４、Ｄａ５を前記写真プリント装置０３に出力し、前記写真プリント０３において写真プリントが実行されるように構成されている。換言すると、前記読み込まれたデジタル画像データに対する写真プリントの注文が完了してから写真プリントの仕上がりが終了するまでの顧客の待ち時間が短縮されるように構成されている。
【００６３】
また、前記ステップＳＡ２８において、前記変更履歴情報生成部２２により前記注文データ記憶部２０に時系列的に記憶される注文データが監視され、前記注文データ記憶部２０に記憶される注文データにおける注文管理データ及びページ管理データが、前回以前に記憶された注文データにおける注文管理データ及びページ管理データと同一であると判断されるときには、当該変更履歴情報生成部２２は、前記注文管理データ及びページ管理データが同一なもの毎に、前記注文データ記憶部２０に記憶された順序情報を付して前記ブロック注文情報の変更履歴情報として前記注文データの変更履歴情報を生成し（ＳＡ３１）、前記変更履歴情報を記憶する（ＳＡ３２）。
【００６４】
前記統合注文情報変更部２５は、前記変更履歴情報生成部２２に前記変更履歴情報が記憶されると、前記変更履歴情報に基づいて、同じサムネイル画像に対する入力情報からなる各注文データを比較し、新たに生成された注文データにおける入力情報と、つまり、変更された注文データにおける入力情報と、前回に生成された注文データにおける入力情報とが等しいときには、つまり、新規なサムネイル画像に対する注文データではないが、入力情報に変更がないと判断されるときに（ＳＡ３３）、前記初期注文情報生成部２１により、前記注文データと前記注文データに対応する前記写真プリント対象データとそれらを関連付けるリンクデータと前記受付装置管理データとを含むプリント注文情報としてのブロック注文情報を生成し（ＳＡ２９）、前記大容量ストレージデバイス５０に前記ブロック注文情報を格納する（ＳＡ３０）。
【００６５】
また、前記統合注文情報変更部２５は、同対象のサムネイル画像に対する入力情報からなる各注文データを比較し、新たに生成された注文データにおける入力情報に、つまり、変更された注文データにおける入力情報に、前回に生成された注文データにおける入力情報にはない新たな入力情報が追加されているときには（ＳＡ３４）、前記追加注文情報生成部２４により、前記内部カウンタＭに基づいた値と、つまり、前記ブロック管理データと、前記内部カウンタＮに基づいた値と、つまり、個別ブロック管理データと、前記注文管理データとが、前記追加された新たな入力情報と関連付くように付加することで新たな追加注文データを生成し（ＳＡ３５）、前記注文データ記憶部２０に記憶する（ＳＡ３６）。また、前記新たな追加注文データと前記新たな追加注文データに対応する前記デジタル画像データとそれらを関連付けるリンクデータと前記受付装置管理データとを含む追加プリント注文としての追加ブロック注文情報を生成し（ＳＡ３７）、前記大容量ストレージデバイス５０に前記追加ブロック注文情報を格納する（ＳＡ３８）。
【００６６】
更に、前記統合注文情報変更部２５は、同対象のサムネイル画像に対する入力情報からなる各注文データを比較し、前回に生成された注文データにおける入力情報に、新たに生成された注文データにおける入力情報にはない、つまり、変更された注文データにおける入力情報にはない入力情報があるときには、つまり、新たに生成された注文データにキャンセル情報が含まれているときには（ＳＡ３９）、前記出力履歴情報生成部２３に記憶されている出力履歴情報の確認を行う（ＳＡ４０）。
【００６７】
前記統合注文情報変更部２５は、前記初期注文情報生成部２１によって同対象のサムネイル画像に対する入力情報からなる注文データにおける前回に生成された注文データに基づいて生成されたブロック注文情報が、前記注文情報出力部５３から出力済みとなっていないときに（ＳＡ４１）、前記大容量ストレージデバイス５０に格納されている前記初期注文情報生成部２１によって同対象のサムネイル画像に対する入力情報からなる注文データにおける前回に生成された注文データに基づいて生成されたブロック注文情報を削除し（ＳＡ４２）、前記初期注文情報生成部２１によって同対象のサムネイル画像に対する入力情報からなる注文データにおける新たに生成された注文データに基づいて、つまり、前記新たに生成された注文データと前記新たに生成された注文データに対応する前記デジタル画像データとそれらを関連付けるリンクデータと前記受付装置管理データとを含む新たなプリント注文情報としての新たなブロック注文情報を生成し（ＳＡ４３）、前記大容量ストレージデバイス５０に前記新たなブロック注文情報を格納する（ＳＡ４４）。
【００６８】
つまり、前記統合注文情報変更部２５は、先に生成されたブロック注文情報に対して、新たに生成されるブロック注文情報が、前記先に生成されたブロック注文情報を変更するものである場合であって、前記新たに生成されるブロック注文情報が生成されるときに、前記先に生成されたブロック注文情報が前記写真プリント装置０３に出力されていなければ、前記先に生成されたブロック注文情報と、前記新たに生成されるブロック注文情報とを差し替えることで統合注文情報を変更するように構成されている。
【００６９】
また、前記統合注文情報変更部２５は、前記初期注文情報生成部２１によって同対象のサムネイル画像に対する入力情報からなる注文データにおける前回に生成された注文データに基づいて生成されたブロック注文情報が、前記注文情報出力部５３から出力済みとなっているときには（ＳＡ４１）、前記内部カウンタＭに基づいた値と、つまり、前記ブロック管理データと、前記内部カウンタＮに基づいた値と、つまり、個別ブロック管理データと、前記注文管理データと、更に、キャンセルされた入力情報とが関連付くように付加することでキャンセル情報を生成し（ＳＡ４５）、前記キャンセル情報記憶部６１に記憶する（ＳＡ４６）。また、このときには、ブロック注文情報は生成されない。
【００７０】
前記注文データ生成部５１は、前記第二の「セット」スイッチ３７ｓが操作されると、上述したように、顧客による前記タッチパネル１１からの入力情報を確定させ、前記注文データを生成するとともに、前記内部カウンタＭの確認を行なう（ＳＡ４７）。前記注文データ生成部５１は、前記内部カウンタＭが最大ページ番号Ｍｔｈ以外のとき、つまり、前記液晶表示部１０に表示されていたサムネイル画像が、前記読み取られたデジタル画像データに基づいたサムネイル画像に対する最終のページとして表示されているとき以外であったとき、前記ステップＳＡ７へ戻る。つまり、前記内部カウンタＭをインクリメントし、次ページに表示すべきサムネイル画像を表示する。また、前記内部カウンタＭが最大ページ番号Ｍｔｈのとき、つまり、前記液晶表示部１０に表示されていたサムネイル画像が、前記読み取られたデジタル画像データに基づいたサムネイル画像に対する最終のページとして表示されていたとき、図１５に示すように、前記液晶表示部１０に「ＯＫ」スイッチ３７ｕと、第三の「戻る」スイッチ３７ｖとが表示される最終確認画面を表示する（ＳＡ４８）。前記注文データ生成部５１は、前記タッチパネル１１から前記第三の「戻る」スイッチ３７ｖが操作されると（ＳＡ４９）、前記内部カウンタＭをデグリメントし（ＳＡ５０）、前記ステップＳＡ８に戻る。また、前記タッチパネル１１から前記「ＯＫ」スイッチ３７ｕが操作されると（ＳＡ５１）、前記一纏まりとしての統合注文を終了し（ＳＡ５２）、前記統合注文における代金を前記注文データ記憶部２０に時系列的に記憶された注文データと、前記変更履歴情報記憶部２２に記憶された変更履歴情報とに基づいて予め設定されている代金テーブルに従って算出する（ＳＡ５３）。
【００７１】
前記記録コントローラ５５は、前記注文データ生成部２０により前記代金が算出されると、例えば、図１６に示すように、顧客、或いは、顧客とオペレータへの情報として、記受付装置管理データと、前記注文データと、前記代金と、前記変更履歴情報記憶部２２に記憶されたブロック注文情報の変更履歴としての変更履歴情報、つまり、注文データの変更履歴、或いは、キャンセル情報記憶部６１に記憶されたキャンセル情報等の受付データ等が印字された注文受付票３５ｐを前記受付データ出力部３５により出力する（ＳＡ５４）。
【００７２】
つまり、前記注文受付票３５ｐには、顧客への情報として、顧客が最終的に注文を行なった注文内容に基づいた受付データが印字され、一方、オペレータへの情報としては、顧客が最終的に注文を行なった注文内容に基づいた受付データと、更に、最終的な注文を行なうまでの間に前記ブロック注文が変更されたとしたときの変更履歴情報が、前記変更履歴情報記憶部２２に記憶されたブロック注文情報の変更履歴としての変更履歴情報、或いは、キャンセル情報記憶部６１に記憶されたキャンセル情報等に基づいた履歴情報とが印字されている。
【００７３】
顧客は、前記予約伝票３５ｐを当該プリント注文受付装置０２から取得し、受け渡しカウンタ等で前記予約伝票３５ｐ及び代金と引き換えに、オペレータを介して前記写真プリントを受け取ることができる。
【００７４】
一方、オペレータは、前記プリント注文受付装置０２からネットワークを介して出力されたブロック注文情報に基づいて前記写真プリント処理装置０３によりプリント処理が実行され出力された写真プリントを、前記予約伝票３５ｐに基づいて代金と引き換えに顧客に引き渡すことができる。
【００７５】
また、オペレータは、上述したステップＳＡ４１、ステップＳＡ４５、ステップＳＡ４６などで、前記顧客が前記入力情報をキャンセルしたにもかかわらず、前記統合注文情報変更部２５によりブロック注文情報の差し替えが間に合わず、前記写真プリント装置０３によりプリント処理が実行されることで、余分な写真プリントが出力されている場合には、前記予約伝票３５ｐに印字されている前記キャンセル情報等に基づいた履歴情報により、前記余分な写真プリントを差し引いて顧客に引き渡すことができる。
【００７６】
尚、オペレータは、前記管理端末装置０４により、前記注文データ等に基づいて、上述の予約伝票３５ｐに印字されている情報を確認できる構成としてもよい。
【００７７】
以下、詳述はしないが、ステップＳＡ２で、証明写真プリント注文スイッチ３７ｘがタッチされた場合には、証明写真の注文設定画面が表示され、証明写真の大きさやレイアウト、プリント枚数などのジョブリクエストが設定入力されると、同様に写真プリントが出力される。また、電子アルバム注文スイッチ３７ｚがタッチされた場合には、アルバム編集対象の写真画像の選択、色補正操作、記録媒体の選択などのジョブリクエストが設定入力されると、メディアドライバ０９からアルバムデータが記録された記録媒体が出力される。
【００７８】
以下別の実施形態について説明する。上述では、図１３（ｄ）に示した写真プリントのプリントサイズ等を選択する出力種類設定画面は、図１３（ｃ）に示した写真プリントを行なう写真画像データ等の選択画面で第一の「セット」スイッチ３７ｎが操作された後に表示される場合について説明したが、前記出力種類設定画面は、図１３（ａ）に示したモード選択スイッチを表示するモード選択画面において、前記写真プリント注文スイッチ３７ｙが選択された後に表示される構成としてもよい。つまり、先にプリントサイズ等の選択を行なった後に、写真プリントを行なう写真画像データ等の選択を行なう構成としてもよい。予め先に一括してプリントサイズ等の選択を行なうことにより、写真プリントを行なう写真画像データ等の選択画面毎にプリントサイズ等の選択を行なう必要がなくなり、より簡単にプリント注文を行なうことが可能な写真プリントシステムとなり好ましい。
【００７９】
尚、上述した実施形態は、本発明の一例に過ぎず、本発明の作用効果を奏する範囲において各ブロックの具体的構成等を適宜変更設計できることは言うまでもない。
【図面の簡単な説明】
【００８０】
【図１】写真プリントシステムの概観構成の説明図
【図２】プリント注文受付装置の概観構成の説明図
【図３】写真プリント装置の概観構成の説明図
【図４】写真プリント装置の概観構成の説明図
【図５】写真プリントシステムの機能ブロック構成の説明図
【図６】注文データの説明図
【図７】変更履歴情報の説明図
【図８】出力履歴情報の説明図
【図９】受付管理部の動作を説明するためのフローチャート
【図１０】受付管理部の動作を説明するためのフローチャート
【図１１】受付管理部の動作を説明するためのフローチャート
【図１２】受付管理部の動作を説明するためのフローチャート
【図１３】液晶表示部に表示される表示画面の説明図
【図１４】ブロック注文情報の生成タイミングと前記生成されたブロック注文情報が注文情報出力部から出力されるタイミング或いは写真プリント装置での処理タイミングとの関係の説明図
【図１５】液晶表示部に表示される表示画面の説明図
【図１６】予約伝票の説明図
【図１７】従来技術の説明図
【符号の説明】
【００８１】
０２：プリント注文受付装置
０３：写真プリント装置
０４：管理端末装置
０９：メディアドライバ
１０：液晶表示部
１１：タッチパネル
２０：注文データ記憶部
２１：初期注文情報生成部
２２：変更履歴情報生成部
２３：出力履歴情報記憶部
２４：追加注文情報生成部
２５：統合注文情報生成部
５１：注文データ生成部
５３：注文情報出力部
５６：実行状態情報入力部
６０：出力部
６６：受付管理部
６７：注文情報生成部
【図１】
2006276930.tif 000003
【図２】
2006276930.tif 000004
【図３】
2006276930.tif 000005
【図４】
2006276930.tif 000006
【図５】
2006276930.tif 000007
【図６】
2006276930.tif 000008
【図７】
2006276930.tif 000009
【図８】
2006276930.tif 000010
【図９】
2006276930.tif 000011
【図１０】
2006276930.tif 000012
【図１１】
2006276930.tif 000013
【図１２】
2006276930.tif 000014
【図１３】
2006276930.tif 000015
【図１４】
2006276930.tif 000016
【図１５】
2006276930.tif 000017
【図１６】
2006276930.tif 000018
【図１７】
2006276930.tif 000019